(57)【要約】【課題】自分撮り構図確認用の反射鏡を備える撮影装置において、自分撮りする撮影者が視線をどこに向ければよいか分からせる。【解決手段】被写体を撮影する撮影レンズ２を含む撮影手段と、その撮影レンズ２の前面側に配置され、被写体からの入射光を反射する反射鏡３と、を備える撮影装置であって、反射鏡３は、見方の条件に応じて被写体の反射像の見え方が異なる。その条件は、反射鏡３の所定の領域Ａ以外の領域Ｂが当該所定の領域Ａよりも、被写体の反射像が見え難くなっている。具体的には、反射鏡３は、その前面投影面積が撮影レンズ２の前面投影面積よりも広い。そして、前記所定の領域Ａは、撮影レンズ２の光軸を中心とした所定の面積の領域である。また、前記所定の領域Ａ以外の領域Ｂは、前記所定の領域Ａよりも、反射率が低くなっている。【選択図】図２
2016218122.tif 000002
【特許請求の範囲】
【請求項１】
被写体を撮影する撮影レンズを含む撮影手段と、
前記撮影レンズの前面側に配置され、前記被写体からの入射光を反射する反射鏡と、を備える撮影装置であって、
前記反射鏡は、見方の条件に応じて前記被写体の反射像の見え方が異なることを特徴とする撮影装置。
【請求項２】
前記条件は、前記反射鏡の所定の領域以外の領域が当該所定の領域よりも、前記被写体の反射像が見え難くなっていることを特徴とする請求項１に記載の撮影装置。
【請求項３】
前記反射鏡は、当該反射鏡の前面投影面積が前記撮影レンズの前面投影面積よりも広いことを特徴とする請求項１または２に記載の撮影装置。
【請求項４】
前記所定の領域は、前記撮影レンズの光軸を中心とした所定の面積の領域であることを特徴とする請求項２または３に記載の撮影装置。
【請求項５】
前記反射鏡は、所定の反射率と透過率を有するハーフミラーであることを特徴とする請求項１から４のいずれか一項に記載の撮影装置。
【請求項６】
前記所定の領域以外の領域は、前記所定の領域よりも、反射率が低くなっていることを特徴とする請求項１から５のいずれか一項に記載の撮影装置。
【請求項７】
前記反射鏡は着色されていて、その着色が前記所定の領域から離れる程に濃くなっていることを特徴とする請求項１から６のいずれか一項に記載の撮影装置。
【請求項８】
前記反射鏡は、凸面鏡であることを特徴とする請求項１から７のいずれか一項に記載の撮影装置。
【発明の詳細な説明】
【技術分野】
【０００１】
本発明は、自分撮り構図確認用の反射鏡を備える撮影装置に関する。
【背景技術】
【０００２】
カメラにおいて、自分撮り時の構図確認用に撮影レンズ付近に小型の鏡を実装したものが知られている（例えば特許文献１参照）。
なお、監視用カメラ等でハーフミラー越しに撮影するカメラも知られている。
また、固体撮像素子の受光面内に被写体の光学的像が収まるように、自分撮り構図確認用のハーフミラーを透過する光を収束させる光収束手段（凸レンズ）を設けた画像入力装置もある（特許文献２参照）。
【先行技術文献】
【特許文献】
【０００３】
【特許文献１】特開２００３−１９５４０３号公報
【特許文献２】特開２０００−２７８５６７号公報
【発明の概要】
【発明が解決しようとする課題】
【０００４】
上記従来の自分撮り構図確認用の鏡やハーフミラー等の反射鏡は前面において反射特性が一律であり、自分撮りする撮影者は視線をどこに向けてよいか分からなかった。
【０００５】
本発明の課題は、自分撮り構図確認用の反射鏡を備える撮影装置において、自分撮りする撮影者が視線をどこに向ければよいか分からせることである。
【課題を解決するための手段】
【０００６】
以上の課題を解決するため、本発明は、
被写体を撮影する撮影レンズを含む撮影手段と、
前記撮影レンズの前面側に配置され、前記被写体からの入射光を反射する反射鏡と、を備える撮影装置であって、
前記反射鏡は、見方の条件に応じて前記被写体の反射像の見え方が異なることを特徴とする。
【発明の効果】
【０００７】
本発明によれば、自分撮り構図確認用の反射鏡を備える撮影装置において、自分撮りする撮影者が視線をどこに向ければよいか分かるようになる。
【図面の簡単な説明】
【０００８】
【図１】本発明を適用した撮影装置の一実施形態の構成を示すもので、カメラの反射鏡を分解して示す概略斜視図である。
【図２】図１の撮影レンズと反射鏡の画角の関係を示す線図である。
【発明を実施するための形態】
【０００９】
以下、図を参照して本発明を実施するための形態を詳細に説明する。
【００１０】
（要点）
反射鏡に対し正面視し、レンズ中心に近い程、反射率を高く設定する。
そして、反射鏡に対し斜視やレンズ画角外から覗いた際は、反射率を低く設定する。
また、反射鏡の反射率だけではなく、蒸着色のグラデーションを用いることにより、色覚的に判断させてもよい。
【００１１】
（実施形態）
図１は本発明を適用した撮影装置の一実施形態の概略構成としてカメラの反射鏡を分解して示すもので、１は筐体、２は撮影レンズ、３はハーフミラー（反射鏡）である。
【００１２】
図示のように、カメラは、筐体１の撮影レンズ２の前面側に、反射鏡である大きなハーフミラー３を有する自分撮りカメラである。
このハーフミラー３は、所定の透過率と反射率を有する凸面鏡で、被写体からの入射光を撮影レンズ２に透過させる透光部を有している。この透光部は、少なくとも撮影レンズ２の画角部分に対応している。
【００１３】
従って、撮影者は、ハーフミラー３に写る自分の姿や表情を確認しながら、撮影を行うことができる。
なお、カメラの筐体１には、撮影レンズ２と、その撮影レンズ２を通した画像を取り込む撮像素子とを含む撮影手段が内蔵されるとともに、その撮影手段により撮影された画像データを処理するコンピュータが内蔵されている。
【００１４】
以上において、ハーフミラー３は、条件に応じて被写体の反射像の見え方が異なっている。
その条件は、ハーフミラー３の所定の領域以外の領域が当該所定の領域よりも、被写体の反射像が見え難くなっている。
【００１５】
図２は撮影レンズ２とハーフミラー３の画角の関係を示すもので、θ１はレンズ画角、θ２は反射鏡画角である。
【００１６】
図示のように、ハーフミラー３の反射鏡画角θ２の領域において、撮影レンズ２のレンズ画角θ１に対応する領域Ａは、被写体の反射像がハッキリと明るく見えて、レンズ画角θ１より大きい領域、すなわち、θ１＜θ２の領域Ｂは、被写体の反射像が見え難くなるようにする。
【００１７】
具体的には、先ず、ハーフミラー３に対し正面視し、撮影レンズ２の中心に近い程、反射率を高く設定する。
そして、ハーフミラー３に対し斜視やレンズ画角θ１外から覗いた際は、反射率を低く設定する。
【００１８】
反射率を変更する手段としては、ハーフミラー３の透明基板に蒸着させるハーフミラー層の厚さを領域Ａと領域Ｂで変えること等で行なうことができる。
【００１９】
以上、実施形態の自分撮り構図確認用のハーフミラー３を備えるカメラによれば、ハーフミラー３に対し正面視し、撮影レンズ２の中心に近い程、反射率を高く（レンズ画角θ１に対応する領域Ａ参照）して、ハーフミラー３に対し斜視やレンズ画角θ１外から覗いた際は、反射率を低く（レンズ画角θ１外の領域Ｂ参照）して設定したことで、自分撮りを行なっている撮影者はハーフミラー３に明るく写るように、当該撮影者の視線が自然とレンズ中心に近づいたレイアウト撮影をすることができる。
【００２０】
（変形例）
前述した実施形態のハーフミラー３表面の反射率の変化だけではなく、図示しないが、ハーフミラー３表面の蒸着色が所定の領域Ａから離れる程に濃くなっていくグラデーションを用いることにより、色覚的に判断させても、同様の作用効果が得られる。
【００２１】
（他の変形例）
以上の実施形態においては、カメラとしたが、本発明はこれに限定されるものではなく、カメラを備える携帯電話など他の電子機器であってもよい。
また、反射鏡及び筐体の形状等も任意であり、その他、具体的な細部構造等についても適宜に変更可能であることは勿論である。
【００２２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
被写体を撮影する撮影レンズを含む撮影手段と、
前記撮影レンズの前面側に配置され、前記被写体からの入射光を反射する反射鏡と、を備える撮影装置であって、
前記反射鏡は、見方の条件に応じて前記被写体の反射像の見え方が異なることを特徴とする撮影装置。
＜請求項２＞
前記条件は、前記反射鏡の所定の領域以外の領域が当該所定の領域よりも、前記被写体の反射像が見え難くなっていることを特徴とする請求項１に記載の撮影装置。
＜請求項３＞
前記反射鏡は、当該反射鏡の前面投影面積が前記撮影レンズの前面投影面積よりも広いことを特徴とする請求項１または２に記載の撮影装置。
＜請求項４＞
前記所定の領域は、前記撮影レンズの光軸を中心とした所定の面積の領域であることを特徴とする請求項２または３に記載の撮影装置。
＜請求項５＞
前記反射鏡は、所定の反射率と透過率を有するハーフミラーであることを特徴とする請求項１から４のいずれか一項に記載の撮影装置。
＜請求項６＞
前記所定の領域以外の領域は、前記所定の領域よりも、反射率が低くなっていることを特徴とする請求項１から５のいずれか一項に記載の撮影装置。
＜請求項７＞
前記反射鏡は着色されていて、その着色が前記所定の領域から離れる程に濃くなっていることを特徴とする請求項１から６のいずれか一項に記載の撮影装置。
＜請求項８＞
前記反射鏡は、凸面鏡であることを特徴とする請求項１から７のいずれか一項に記載の撮影装置。
【符号の説明】
【００２３】
１  筐体
２  撮影レンズ
３  ハーフミラー（反射鏡、凸面鏡）
θ１  レンズ画角
θ２  反射鏡画角
Ａ  所定の領域
Ｂ  所定の領域以外の領域
【図１】
2016218122.tif 000003
【図２】
2016218122.tif 000004